(57)【要約】【課題】天井や壁面と言った被取付部に孔あけ等の加工を施すことなく、屋内に容易に設置することができる物干し装置を提供する。【解決手段】相対向する壁面Ｗ間に差し渡されて取付けられるポール部材１と、前記ポール部材１にその両端部が吊り下げられて、前記ポール部材１の下方に並設された物干し竿２とを備え、前記ポール部材１はその両端部がそれぞれ壁面Ｗに圧着されて壁面Ｗ間に固定され、前記物干し竿２は前記ポール部材１に対して昇降可能とすることにより、天井や壁面と言った被取付部に孔あけ等の加工を施すことなく、屋内に容易に設置することができる物干し装置Ｐを提供する。【選択図】        図１
2015144713.tif 000002
【特許請求の範囲】
【請求項１】
相対向する壁面間に差し渡されて取付けられるポール部材と、前記ポール部材にその両端部が吊り下げられて、前記ポール部材の下方に並設された物干し竿とを備え、前記ポール部材はその両端部がそれぞれ壁面に圧着されて壁面間に固定され、前記物干し竿は前記ポール部材に対して昇降可能となされていることを特徴とする物干し装置。
【請求項２】
前記物干し竿は、外筒と、該外筒内に一端部を露出させて挿入される内筒とを備え、前記内筒を外筒に対して、引き出し又は収納することにより、長さ方向に伸縮可能となされていることを特徴とする請求項１に記載の物干し装置。
【請求項３】
前記物干し竿は紐状部材によりポール部材に吊り下げられ、前記紐状部材はポール部材に設けられた折り返し部を跨いで折り返されて、前記折り返し部を境にして該紐状部材の両端部がそれぞれ反対方向に移動するようになされ、前記両端部のうちの一方の端部を取付端部として該取付端部に物干し竿が取付けられ、他方の端部を操作端部として該操作端部を上方に移動させた状態である前記物干し竿を下降させた状態から、前記操作端部を下方に引くことにより、前記物干し竿を上昇させることができるようになされていることを特徴とする請求項１又は２に記載の物干し装置。
【請求項４】
紐状部材の前記操作端部に、前記物干し竿の昇降を助けるための錘が取付けられていることを特徴とする請求項３に記載の物干し装置。
【発明の詳細な説明】
【技術分野】
【０００１】
本発明は、物干し装置に関するものであり、より詳細には、屋内の壁面間に差し渡されて取付けられる物干し装置に関するものである。
【背景技術】
【０００２】
従来から、屋内において洗濯物を干すということが行われている。特に雨天が多い梅雨の時期や、積雪のある地方では真冬の時期など、屋外へ洗濯物を干すことができない日も多い。そのような時期には、毎日ではないにせよ、様々な物干し装置を用いて屋内で洗濯物干さざるを得ないことも多いのが実情である。
【０００３】
上記従来の物干し装置としては、例えば特許文献１に記載されている様に、天井に取り付けられる支持具に吊掛具を取り付け、支持具にカバーを着脱可能に取り付けて成る吊掛装置において、支持具には係受部を設けると共にカバーには係合部を設けて、カバーを回動させることによって係合部を係受部に係合させて、カバーを支持具に取り付けるよう成し、係合部の基部には、弾性部を設けて、係合部を高さ方向に移動可能にし、カバーの係合部を支持具の係受部に係合させた時、弾性部の弾性によりカバーを天井面に密着することができるように構成した吊掛装置が開示されており、この吊掛装置に物干し竿が架け渡され、物干し装置となされるものである。
【先行技術文献】
【特許文献】
【０００４】
【特許文献１】特開２０１３−１６２８１３号公報
【発明の概要】
【発明が解決しようとする課題】
【０００５】
しかしながら、上記従来の物干し装置にあっては、支持具１は、天井Ｃの天井材Ｔに丸い孔Ｈを開けて、そこに大半を埋め込むようにして、野縁Ｎに取付ねじ１５・１５を取付孔１０・１０に挿通して取り付られるものであるため、天井に孔を開けざるを得ず、当該吊掛装置が不要となった等、前記吊掛装置を取外した場合、天井などの被取付部にねじ孔が残ってしまうと言う改良点が残されていた。
【０００６】
本発明は、天井や壁面と言った被取付部に孔あけ等の加工を施すことなく、屋内に容易に設置することができる物干し装置を提供せんとするものである。
【課題を解決するための手段】
【０００７】
上記目的を達成するために、本発明は次のような構成としている。
すなわち本発明に係る物干し装置は、相対向する壁面間に差し渡されて取付けられるポール部材と、前記ポール部材にその両端部が吊り下げられて、前記ポール部材の下方に並設された物干し竿とを備え、前記ポール部材はその両端部がそれぞれ壁面に圧着されて壁面間に固定され、前記物干し竿は前記ポール部材に対して昇降可能となされてことを特徴とするものである。
【０００８】
前記発明によれば、前記ポール部材はその両端部がそれぞれ壁面に圧着されて壁面間に固定され、前記物干し竿は前記ポール部材に対して昇降可能となされているので、物干し装置を取付ける被取付部である壁面に孔をあけることなく、物干し装置を取付けることができる。
【０００９】
また本発明に係る物干し装置を、前記物干し竿には、外筒と、該外筒内に一端部を露出させて挿入される内筒とを備えられ、前記内筒を外筒に対して、引き出し又は収納することにより、長さ方向に伸縮可能となされるようにしてもよい。
【００１０】
この様にすれば、前記物干し竿には、外筒と、該外筒内に一端部を露出させて挿入される内筒とが備えられ、前記内筒を外筒に対して、引き出し又は収納することにより、長さ方向に伸縮可能としているので、物干し装置を設置する壁面間の距離の変化に対応して、物干し装置を設置することができる。
【００１１】
また本発明に係る物干し装置を、前記物干し竿は紐状部材によりポール部材に吊り下げられ、前記紐状部材はポール部材に設けられた折り返し部を跨いで折り返されて、前記折り返し部を境にして該紐状部材の両端部がそれぞれ反対方向に移動するようになされ、前記両端部のうちの一方の端部を取付端部として該取付端部に物干し竿が取付けられ、他方の端部を操作端部として該操作端部を上方に移動させた状態である前記物干し竿を下降させた状態から、前記操作端部を下方に引くことにより、前記物干し竿を上昇させることができるようにしてもよい。
【００１２】
この様にすれば、前記物干し竿は紐状部材によりポール部材に吊り下げられ、前記紐状部材はポール部材に設けられた折り返し部を跨いで折り返されて、前記折り返し部を境にして該紐状部材の両端部がそれぞれ反対方向に移動するようになされ、前記両端部のうちの一方の端部を取付端部として該取付端部に物干し竿が取付けられ、他方の端部を操作端部として該操作端部を上方に移動させた状態である前記物干し竿を下降させた状態から、前記操作端部を下方に引くことにより、前記物干し竿を上昇させることができるようにしているので、洗濯物を干さない時は、物干し竿を上方に移動させた状態に配置し、人が通行する等の際に、物干し竿が邪魔にならないようにし、洗濯物を干す時は、所望の位置まで物干し竿を降下させ、洗濯物を干すことができる。
【００１３】
また本発明に係る物干し装置を、紐状部材の前記操作端部に、前記物干し竿の昇降を助けるための錘を取付けるようにしてもよい。
【００１４】
この様にすれば、紐状部材の前記操作端部に、前記物干し竿の昇降を助けるための錘を取付けているので、洗濯物を干さない時に、物干し竿を上方に移動させた状態で保持させることができる。
【発明の効果】
【００１５】
本発明に係る物干し装置によれば、天井や壁面と言った被取付部に孔あけ等の加工を施すことなく、屋内に容易に設置することができる。
【図面の簡単な説明】
【００１６】
【図１】本発明に係る物干し装置に干し物が吊られている形態を示す斜視図である。
【図２】図１の要部の、（イ）は正面図、（ロ）は平面図である。
【図３】図２のＡ部の拡大の斜視図である。
【図４】図１のＢ部の拡大の斜視図である。
【図５】図１に示す物干し装置が未使用中の状態を示す斜視図である。
【発明を実施するための形態】
【００１７】
次に、本発明を実施するための形態について図面を参照し、具体的に説明する。
【００１８】
Ｐは本願発明に係る物干し装置であって、１はパイプ材を備えたポール部材で、該ポール部材１は相対向する壁面Ｗ間に差し渡されて、その両端部がそれぞれ壁面Ｗに圧着されて壁面Ｗ間に固定され、取付けられている。２はパイプ材からなる物干し竿で、前記ポール部材１にその両端部が吊り下げられて、前記ポール部材１の下方に並設されて、前記物干し装置Ｐは前記ポール部材１と前記物干し竿２とを備えている。３は前記物干し竿２をポール部材１に吊り下げている紐状部材であり、４は当該紐状部材３に取付けられている錘である。
【００１９】
前記ポール部材１は、パイプ状の外筒１１と、該外筒１１内に一端部を露出させて挿入される鋼管の外周面に合成樹脂を被覆したパイプ状の内筒１２とを備え、前記内筒１２を外筒１１に対して、引き出し又は収納することにより、長さ方向に伸縮可能となされており、本発明に係る物干し装置Ｐが設置される壁Ｗ間の距離に応じて、ポール部材１の長さを調整することができるようになされている。
【００２０】
前記物干し竿２も、パイプ状の外筒２１と、該外筒２１内に一端部を露出させて挿入される鋼管の外周面に合成樹脂を被覆したパイプ状の内筒２２とを備え、前記内筒２２を外筒２１に対して、引き出し又は収納することにより、長さ方向に伸縮可能となされており、前記ポール部材１と同様、本発明に係る物干し装置Ｐが設置される壁Ｗ間の距離に応じて、物干し竿２の長さを調整することができるようになされている。
【００２１】
そして前記物干し竿２は、正面視において左右端部にそれぞれ紐状部材３によりポール部材１に吊り下げられ、ポール部材１に対して昇降可能となされている。具体的には、前記紐状部材３は、２本の紐３ａ，３ｂからなり、正面視において前記物干し竿２の左端部に、その取付端部３１ａが取付けられている第一の紐３ａと、正面視において前記物干し竿２の右端部に、その取付端部３１ｂが取付けられている第二の紐３ｂとからなる。
【００２２】
前記物干し竿２の左右端部には、有底の短円筒状のキャップ２３が、前記外筒２１の右端及び内筒２２の右端を塞ぐように取付けられており、該キャップ２３の底に設けられた通孔２３１に前記第一の紐３ａと第二の紐３ｂが挿通され、それぞれの紐３ａ，３ｂが前記通孔２３１から抜け出ないように、前記キャップ２３の内側でそれぞれの紐３ａ，３ｂが前記通孔２３１の孔径よりも大きくなるように、その端部が団子結びされている。
【００２３】
前記物干し竿２の左側のキャップ２３から、上方に向けて配置されている前記第一の紐３ａは、２箇所の折り返し部１３で折り曲げられ、すなわち、前記ポール部材１の左側のポール支持部材１４に設けられた貫通孔１４５に挿通され、該貫通孔１４５の下縁を第一の折り返し部１３として、該第一の折り返し部１３で右方向に略９０°折り曲げられ略水平状態となされて、前記ポール部材１の右側のポール支持部材１４に設けられた貫通孔１４５に挿通され、該貫通孔１４５の下縁を第二の折り返し部１３として、該第二の折り返し部１３で下方に略９０°折り曲げられて、前記錘４の上面に設けられている透孔４１に挿入されている。
【００２４】
一方、前記物干し竿２の右側のキャップ２３から、上方に向けて配置されている前記第二の紐３ｂは、１箇所の折り返し部１３で折り曲げられ、すなわち、左側のポール支持部材１４と左右対称形状である前記ポール部材１の右側のポール支持部材１４に設けられた貫通孔１４５に挿通され、該貫通孔１４５の下縁を折り返し部１３として、該折り返し部１３で下方に略３６０°折り曲げられて、前記錘４の上面に設けられている透孔に挿入されている。そして、前記第一の紐３ａと第二の紐３ｂの操作端部３１ｂ側の端部が、前記透孔４１の孔径よりも大きくなるように、前記錘４の内側で結ばれている。
【００２５】
上記の通り、前記物干し竿２は紐状部材３である第一の紐３ａと第二の紐３ｂによりポール部材１に吊り下げられ、前記紐状部材３はポール部材１に設けられた折り返し部１３を跨いで折り返されて、前記折り返し１３を境にして該紐状部材３の両端部３１がそれぞれ反対方向に移動するようになされ、前記両端部３１のうちの一方の端部を取付端部３１ａとして該取付端部３１ａに物干し竿２が取付けられ、他方の端部を操作端部３１ｂとして該操作端部３１ｂを上方に移動させた状態である前記物干し竿２を下降させた状態から、前記操作端部３１ｂを下方に引くことにより、前記物干し竿２を上昇させることができるようになされている。
【００２６】
また、前記紐状部材３の操作端部３１ｂに取付けられている錘４により、前記物干し竿２の昇降が助けられるようになされている。
【００２７】
前記ポール部材１を詳細に説明すると、前記ポール部材１の両端部には、前記外筒１１と内筒１２とを支持するポール支持部材１４が取付けられている。そして該ポール支持部材１４は、その外側面が前記壁面Ｗに当接される縦長長方形状の平板部１４１と、該平板部１４１の内側面に突設された突設部１４２と、該突設部１４２に設けられたポール挿入孔１４３及び前記物干し竿２の端部を収納する収納部１４４とを備えている。
【００２８】
そして、前記内筒１２が挿入されていない側の前記外筒１１の端部１１１と、前記外筒１１に挿入されていない側の前記内筒１２の端部１２１とが、それぞれの外形に対応したポール挿入孔１４３に挿入されて、前記外筒１１の端部１１１に取付けられたポール支持部材１４と、前記内筒１２の端部１２１に取付けられたポール支持部材１４とが、それぞれの平板部１４１の外側面が前記壁面Ｗに当接され圧着されて、壁面Ｗ間にポール部材１が固定されるようになされている。
【００２９】
前記内筒１２の端部１２１には、合成樹脂製の円筒状部材の一端が閉塞され、その閉塞部１５１から外方に雄ねじが突設された雄ねじ部１５２を備えた伸縮部１５と、前記外筒１２の端部に取付けられて、その内面に雌ねじが形成され、前記伸縮部１５の雄ねじ部１５２が螺入されているねじ受け部１６が設けられている。
【００３０】
また、前記外筒１１の端部１１１の反対側の端部１１２に、円筒状の固定部１７が前記端部１１２に外嵌されるとともに接着、溶着又は溶接などにより固定され、固定部１７に外筒１１の軸方向に対して直交する向きに形成したねじ部１７１にねじ込んで前記内筒１２の外面に圧接させる又は内筒１２にねじ込んで貫通させることで両筒１１，１２を固定する固定ねじ１８とを設けて、確実に両筒１１，１２を固定することができるようにしている。
【００３１】
この様な構造にすることにより、前記雄ねじ部１５２を緩める方向に伸縮部１５を回動させ、前記壁面Ｗにポール部材１を圧着し、前記固定ねじ１８を内筒１２に圧接又は内筒１２にねじ込むことにより、物干し装置Ｐを壁面Ｗに固定することができるようになされている。
【００３２】
尚、前記伸縮部１５の円筒状の外面には、長さ方向に沿う突条１５３が周方向に所定間隔をおいて多数形成されている。これによって、作業者は、伸縮部１５を回動させる際に突条１５３間に指を入れることができ、滑らせることなく伸縮部１５を確実に回動操作することができる。
【００３３】
前記突設部１４２は、その上部に前記ポール挿入孔１４３が設けられ、該ポール挿入孔１４３の下側に、下方と側方とが開口されて、前記収納部１４４が設けられ、前記紐状部材３が引き下げられ、前記物干し竿２が上端の位置に配置された際、その端部が前記収納部１４４に収納されるようになされている。
【００３４】
また前記収納部１４４の上部には、該収納部１４４上端部を貫通する貫通孔１４５が形成されることにより、ポール部材１の延設方向に直交して棒状の前記折り返し部１３が形成されている。そして、前記貫通孔１４５に前記紐状部材３である第一の紐３ａと第二の紐３ｂが挿通され、前記折り返し部１３を跨いで折り返されている。
【００３５】
上記の構造とすることにより、物干し装置Ｐに干し物５を干さない時は、物干し竿２がその両端部２１が前記ポール部材１の収納部１４４に収納された状態、すなわち最上部に配置され、干し物５を干す時には、紐状部材３の操作端部３１ｂ又は錘４を上昇させ、所望の位置まで物干し竿２を降下させて、干し物５を物干し竿２に干すことができるようになされている。
【００３６】
また、干し物５が乾燥した後は、紐状部材３の操作端部３１ｂ又は錘４を降下させ、再び物干し竿２の両端部２１を前記収納部１４４に収納させておくことにより、人が物干し装置Ｐが設置されている場所を歩行する際にも、歩行の障害とならないようにすることができる。
【００３７】
また、物干し竿２を所望の位置まで降下させる際、最上部から物干し竿２を降下させたい位置までの距離と同じ長さの、前記紐状部材３の位置に、ストッパー６を取付けておけば、物干し竿２を所望の位置まで降下させ、干し物５を物干し竿２に引掛けても、前記ストッパー６が折り返し部１３に引っ掛かるので、それ以上物干し竿２が降下するのを防ぐことができる。
【００３８】
なお本実施形態においては、前記ストッパー６はＳ字状となされ、Ｓ字の孔部に紐状部材３を挿通しているが、ストッパー６の形状は、特にこの形状に限定されるものではなく、要は紐状部材３に取付けることができ、かつ折り返し部１３に引っ掛かるものであればよい。
【００３９】
また錘４は、本実施形態においては、略円柱状体となされているが、特にこの形状に限定されるものではなく、要は物干し竿２が最上部に配置され、前記収納部１４４にその端部２１が収納されている状態において、その自重により物干し竿２が降下しない様な重量となされていればよい。
【００４０】
尚、相対向する壁面Ｗは、一般的に床面から立設される一対の縦壁面のみを指すのではなく、床面から立設された柱面と壁面、あるいは柱面と柱面も含むものである。
【００４１】
また、壁面Ｗに圧着されて固定されるポール部材１及び物干し竿２の伸縮構造は、特に上記の構造に限定されるものではなく、既存の伸縮可能な伸縮パイプの構造を適宜採用すればよい。
【００４２】
ポール部材１及び物干し竿２の各外筒１１，２１と内筒１２，２２は、一般的には鉄材、鋼材、ステンレス鋼、及びアルミニウム等の金属をパイプ形状に成形したものであるが、これらの金属を組み合わせたものや、パイプの表面を合成樹脂等で被覆したものや、場合によっては硬質合成樹脂等であってもよく、必要な長さや強度に応じて、適宜使用できる。又、外筒１１，２１及び内筒１２，２２は、円筒状の場合が好ましいが、楕円筒状または角筒状などであってもよい。
【符号の説明】
【００４３】
１      ポール部材
１１    外筒
１１１  端部
１１２  端部
１２    内筒
１２１  端部
１３    折り返し部
１４    ポール支持部材
１４１  平板部
１４２  突設部
１４３  ポール挿入孔
１４４  収納部
１４５  貫通孔
１５    伸縮部
１５１  閉塞部
１５２  雄ねじ部
１５３  突条
１６    ねじ受け部
１７    固定部
１７１  ねじ部
１８    固定ねじ
２      物干し竿
２１    外筒
２２    内筒
２３    キャップ
２３１  通孔
３      紐状部材
３ａ    第一の紐
３ｂ    第二の紐
３１    端部
３１ａ  取付端部
３１ｂ  操作端部
４      錘
４１    透孔
５      干し物
６      ストッパー
Ｐ      物干し装置
Ｗ      壁面
【図１】
2015144713.tif 000003
【図２】
2015144713.tif 000004
【図３】
2015144713.tif 000005
【図４】
2015144713.tif 000006
【図５】
2015144713.tif 000007